(57)【特許請求の範囲】
【請求項１】
胴部と底部からなり上方が開放され、下方に行くに従い先細るカップ状の外容器と、該外容器の底部に収納された発泡食品と、該発泡食品の上に覆い被さり、外容器の内面に落とし込むように密接する内容器とから構成された発泡食品包装体において、内容器はフレキシブルなプラスチックフィルム又はプラスチックシートから構成され、外容器の上端縁部と内容器の上端縁部にはそれぞれのフランジが形成され、該外容器と内容器のそれぞれのフランジ同士が熱圧着により接着シールされていることを特徴とする積み重ね可能な発泡食品包装体。
【請求項２】
前記外容器の上端縁部と内容器の上端縁部との接着シールが、部分的に通気溝を有する接着シールであることを特徴とする、請求項１記載の積み重ね可能な発泡食品包装体。
【請求項３】
前記内容器を構成するフレキシブルなプラスチックフィルム又はプラスチックシートは、部分的に通気孔が穿設された構造からなることを特徴とする、請求項１記載の積み重ね可能な発泡食品包装体。
【請求項４】
前記発泡食品と内容器の間には、紙製の分離板が設けられていることを特徴とする、請求項１〜３のいずれか１項に記載の積み重ね可能な発泡食品包装体。
【請求項５】
前記発泡食品が、ポップコーンであることを特徴とする、請求項１〜４のいずれか１項に記載の積み重ね可能な発泡食品包装体。
【発明の詳細な説明】
【０００１】
【発明の属する技術分野】
本発明は電子レンジ加熱が可能なポップコーン等の発泡食品包装体に関するものであり、特に利便性、経済性を付与した電子レンジ加熱可能で、積み重ね可能な発泡食品包装体に関する。
【０００２】
【従来の技術】
従来、容器入りポップコーンを電子レンジで加熱発泡させる場合には、ポップコーンがはじけて容器のそとに飛散しないように、あらかじめ容器とは別に蓋を用意しておき、容器に蓋をかぶせてから加熱発泡させていた。
【０００３】
また、容器への異物混入を防止するためには、別に蓋を被せたり、シュリンクフィルムで包装するなどの方策を講じているが、いずれにしても積み重ね可能な包装形態にはなっておらず、輸送、保管時等には嵩張って必要以上に場所をとってしまうという問題があった。
【０００４】
【発明が解決しようとする課題】
本発明は、電子レンジ加熱が可能なポップコーン等の発泡食品包装体に関する以上のような問題に鑑みてなされたもので、容器とは別の蓋等を必要とせず、異物混入の心配がなく、保管面積の少ない積み重ね可能なポップコーン等の発泡食品包装体を提供することを課題とする。
【０００５】
【課題を解決するための手段】
本発明の請求項１の発明は、胴部と底部からなり上方が開放され、下方に行くに従い先細るカップ状の外容器と、該外容器の底部に収納された発泡食品と、該発泡食品の上に覆い被さり、外容器の内面に落とし込むように密接する内容器とから構成された発泡食品包装体において、内容器はフレキシブルなプラスチックフィルム又はプラスチックシートから構成され、外容器の上端縁部と内容器の上端縁部にはそれぞれのフランジが形成され、該外容器と内容器のそれぞれのフランジ同士が熱圧着により接着シールされていることを特徴とする積み重ね可能な発泡食品包装体である。
【０００６】
このように請求項１記載の発明によれば、上方が開放され、下方に行くに従い先細るカップ状の外容器と、該外容器の底部に収納された発泡食品と、該発泡食品の上に覆い被さり、外容器の内面に落とし込むように密接する内容器と、から構成されているので、内容器が外容器の内側に嵌め込まれたような一体形状になっており、この発泡食品包装体は積み重ね可能な構造を有している。
【０００７】
また、外容器の上端縁部と内容器の上端縁部とは接着シールされ、内容器はフレキシブルなプラスチックフィルム又はプラスチックシートからなるので、発泡食品が加熱により発泡すると、内容器は体積膨張に沿って上側に膨れる構造を有する。
【０００８】
また、請求項２の発明は、請求項１記載の発明において、前記外容器の上端縁部と内容器の上端縁部との接着シールが、部分的に通気溝を有する接着シールであることを特徴とする、積み重ね可能な発泡食品包装体である。
【０００９】
このように請求項２記載の発明によれば、外容器の上端縁部と内容器の上端縁部との接着シールが、部分的に通気溝を有する接着シールであるので、電子レンジ加熱により、発泡食品が膨れて蒸気等が発生しても、蒸気等は通気溝から抜けることができ、内容器が破れるようなことはない。
【００１０】
また、請求項３の発明は、請求項１記載の発明において、前記内容器を構成するフレキシブルなプラスチックフィルム又はプラスチックシートは、部分的に通気孔が穿設された構造からなることを特徴とする、積み重ね可能な発泡食品包装体である。
【００１１】
このように請求項３記載の発明によれば、内容器を構成するフレキシブルなプラスチックフィルム又はプラスチックシートは、部分的に通気孔が穿設された構造からなるので、電子レンジジ加熱により、発泡食品が膨れて蒸気等が発生しても、蒸気等は通気孔から抜けることができ、内容器が破れるようなことはない。
【００１２】
また、請求項４の発明は、請求項１〜３のいずれか１項に記載の発明において、前記発泡食品と内容器の間には、紙製の分離板が設けられていることを特徴とする、積み重ね可能な発泡食品包装体である。
【００１３】
このように請求項４記載の発明によれば、発泡食品と内容器の間には紙製の分離板が設けられているので、発泡前に発泡食品が内容器に付着するようなことはない。
【００１４】
また、請求項５の発明は、請求項１〜４のいずれか１項に記載の発明において、前記発泡食品が、ポップコーンであることを特徴とする、積み重ね可能な発泡食品包装体である。
【００１５】
【発明の実施の形態】
本発明の積み重ね可能な発泡食品包装体を一実施形態に基づいて以下に詳細に説明する。
本発明の積み重ね可能な発泡食品包装体は、例えば、図１に示すように、胴部（１１）と底部（１２）からなり上方が開放され、下方に行くに従い先細るカップ状の外容器（１０）と、該外容器の底部に収納された発泡食品（２０）と、該発泡食品の上に覆い被さるように外容器の内面に密接する内容器（３０）と、から構成され、外容器の上端縁部と内容器の上端縁部とが接着シール（３１）された発泡食品包装体（１）である。
【００１６】
外容器（１０）は、後記する発泡食品（２０）を収納する容器であり、電子レンジ加熱する関係から、耐熱性を有し、剛性の有る容器であれば良く、紙カップ、プラスチックカップ等が好ましく使用できる。
【００１７】
紙カップの場合、例えば、カップ原紙の片面に低密度ポリエチレン樹脂を１０〜３０μｍ程度溶融押し出し法により塗布したポリエチレン加工紙を使用して、一般的な紙カップ成形機を使用して作製することができる。
プラスチックカップの場合、例えば、ポリエチレン、ポリプロピレン等の熱可塑性樹脂を射出成形法等の一般的な容器成形法を用いて作製することができる。
【００１８】
発泡食品（２０）は、電子レンジで加熱することにより発泡して何倍にも膨れ上がる食品で、例えば、ポップコーン、発泡菓子等が該当する。
発泡食品（２０）の上に内容器（３０）と電子レンジ加熱する前に触れないように、分離板（２１）を置いても良い。
分離板（２１）は食品に直接触れることがあるので、食品衛生上問題のない板紙を使用すれば良い。また、発泡食品がポップコーンなど油脂類を含んだ食品の場合、耐油加工を施した板紙を使用することが好ましい。
【００１９】
内容器（３０）は、発泡食品（２０）の上に覆い被さるように外容器（１０）の内面に密接して外容器の内側に嵌め込まれており、外容器に収納された発泡食品を外界の汚れ等から守る蓋材の役目も果している。
【００２０】
電子レンジ加熱することにより発泡食品（２０）は何倍にも膨れ上がるが、その際の膨張容積を内容器（３０）は吸収する必要があり、したがって、内容器（２０）は真空成形法、圧空成形法、真空圧空成形法等のシート成形法により、外容器と略同一形状か、やや小さめに成形されている。
【００２１】
内容器（３０）の素材は、上記のような機能を考慮すると、ポリエチレン、ポリプロピレン等のフレキシブルなプラスチックフィルム又はプラスチックシートからなるものであることが好ましく、厚さは５０μｍ〜３ｍｍ程度のシートを上記方法により成形したものが好適に使用できる。
【００２２】
なお、内容器の素材としてシュリンクフィルムを使用することにより、発泡食品を電子レンジ加熱して発泡させる際に、発生する熱を利用して内容器を変形させることも可能である。
【００２３】
外容器（１０）の上端縁部と内容器（３０）の上端縁部との接着シールは、特に限定されないが、図１に示すように、外容器の形成時に上端縁にフランジ（１３）を形成させておき、また、内容器の形成時に上端縁にもフランジ（３１）を形成させておき、外容器と内容器のフランジ同士を上下から熱圧着して接着シール（３５）する方法が一般的である。
外容器のフランジ（１３）は、図示してないが、上下から熱圧着して偏平な形状にあらかじめ加工しておいても構わない。
【００２４】
なお、接着シール部に通気溝（３３）を設けておくと、包装体を電子レンジ加熱した際、発泡食品から蒸気等が発生しても、発生した蒸気等を外部に逃がすことができ、内容器のプラスチックフィルムが破れたり、接着シール部が剥離して包装体が破壊され、発泡食品が飛び散ることがない（図３参照）。
【００２５】
また、部分的に通気孔（３２）を穿設させたプラスチックフィルム又はプラスチックシートを内容器の材料として使用しても、包装体を電子レンジ加熱した際、発泡食品から蒸気等が発生しても、発生した蒸気等を外部に逃がすことができ、内容器のプラスチックフィルムが破れたり、接着シール部が剥離して包装体が破壊され、発泡食品が飛び散ることがない。
【００２６】
このようにして作製した発泡食品包装体を電子レンジで加熱したところ、図３に示すように、発泡食品（２０）は膨張して外容器一杯に膨らんだが、内容器（３０）が蓋の役目を果して、膨らんだ発泡食品（２０）が外に飛び散ることはない。また、発生した蒸気はうち内容器のプラスチックフィルムにあらかじめ設けておいた通気孔（３２）から逃げて、プラスチックフィルムが破れたり、接着シール部（３５）が剥がれたりすることはなかった。
【００２７】
【発明の効果】
このように、本発明の発泡食品包装体は、積み重ねることができ、内容器が蓋の役目を果しているので異物混入防止ができる。
また、電子レンジ加熱した際、発泡食品の外側には内容器がかぶさっているので、膨張したポップコーン等の発泡食品が容器の外に飛び散ることがない。
発泡食品である収納物の発泡にそって内容器が変形し、収納物の発泡をさまたげない。
発泡食品から発生する蒸気を必要に応じて逃がすことができ、容器が破れたりすることがない。
【図面の簡単な説明】
【図１】本発明の積み重ね可能な発泡食品包装体の一実施例を示す、断面説明図である。
【図２】本発明の積み重ね可能な発泡食品包装体を電子レンジで加熱した後の状態の一実施例を示す、断面説明図である。
【図３】本発明の積み重ね可能な発泡食品包装体の別の実施例を示す、平面説明図である。
【符号の説明】
１‥‥積み重ね可能な発泡食品包装体
１０‥‥外容器
１１‥‥胴部
１２‥‥底部
１３‥‥フランジ
２０‥‥発泡食品
２１‥‥分離板
３０‥‥内容器
３１‥‥フランジ
３２‥‥通気孔
３３‥‥通気溝
３５‥‥接着シール部
【図１】
0003957263.tif 000002
【図２】
0003957263.tif 000003
【図３】
0003957263.tif 000004